(57)【要約】【課題】除雪面や周辺設備に影響を与えることなく簡易な構成で除雪を促進することが可能な除雪システム及び除雪方法を提供する。【解決手段】除雪システム１０は、基面１上に降り積もった雪からなる積雪層２と、積雪層２の表面に設置され、太陽光Ｌで温められることにより積雪層２を融解する融雪シート３と、を有する。【選択図】図１
2014163091.tif 000002
【特許請求の範囲】
【請求項１】
基面上に降り積もった雪からなる積雪層と、前記積雪層の表面に設置され、太陽光で温められることにより前記積雪層を融解する融雪シートと、を有することを特徴とする除雪システム。
【請求項２】
前記融雪シートは、明度が０％以上５０％未満の暗色であることを特徴とする請求項１に記載の除雪システム。
【請求項３】
前記融雪シートは、黒色であることを特徴とする請求項２に記載の除雪システム。
【請求項４】
前記基面は、芝生が生えている芝生面であり、前記融雪シートは、複数の貫通孔を有することを特徴とする請求項３に記載の除雪システム。
【請求項５】
基面上に降り積もった雪からなる積雪層の表面に融雪シートを設置し、太陽光で前記融雪シートを温めることにより前記積雪層を融解することを特徴とする除雪方法。
【発明の詳細な説明】
【技術分野】
【０００１】
本発明は、除雪システム及び除雪方法に関する。
【背景技術】
【０００２】
従来、地面や屋上等に雪が積もった場合は、人力や除雪機械による除雪作業が行われていた。また、積雪を回避したい場所に通電や温水によって発熱する融雪シートを予め敷設することが行われていた。
【０００３】
例えば、特許文献１には、屋根上に設置される除雪シートであって、面状発熱体と、該面状発熱体の積雪側の表面を被覆する被覆層とを備え、該被覆層の最も積雪側の表面がフッ素樹脂フィルムからなることを特徴とする除雪シートが開示されている。
【０００４】
また、特許文献２には、管状の温水流路と平板状の取付基部とを交互に配設して一体成形し、管状の温水流路をその外周面の大部分が平板状の取付基部よりも上方に露呈するようにし、雪と直接接触できるようにした融雪シートが開示されている。
【先行技術文献】
【特許文献】
【０００５】
【特許文献１】特開２００８−２６６９６２号公報
【特許文献２】特開２００２−０８８７３０号公報
【発明の概要】
【発明が解決しようとする課題】
【０００６】
しかしながら、人力による除雪作業は人手や時間が多くかかる。そのため、例えばサッカー場のような広大なスポーツフィールドや競馬場の馬場等に適用した場合は、作業コストや作業時間が著しく増大してしまう。また、除雪車等の除雪機械は、除雪面や周辺施設を痛める可能性があるため、スポーツフィールド等の除雪には不向きであった。また、年間の積雪量が少ない地域（例えば関東地方南部等）では、十分な除雪機械が準備されておらず、除雪完了まで多くの時間を要する場合がある。
【０００７】
また、特許文献１、２に記載の融雪シートは、面状発熱体や温水流路が必要であるため、材料コストや製造コストが増大するという問題があった。また、これらの融雪シートは、通電や通水が必要であるため、ランニングコストが増大するという問題があった。そのため、やはりサッカー場のような広大なスポーツフィールドや競馬場の馬場等には適していなかった。
【０００８】
本発明は、これらの事情に鑑みてなされたものであり、除雪面や周辺設備に影響を与えることなく簡易な構成で除雪を促進することが可能な除雪システム及び除雪方法を提供することを課題とする。
【課題を解決するための手段】
【０００９】
本発明は、基面上に降り積もった雪からなる積雪層と、前記積雪層の表面に設置され、太陽光で温められることにより前記積雪層を融解する融雪シートと、を有することを特徴とする除雪システムである。
また、本発明は、基面上に降り積もった雪からなる積雪層の表面に融雪シートを設置し、太陽光で前記融雪シートを温めることにより前記積雪層を融解することを特徴とする除雪方法である。
【００１０】
かかる構成及び方法によれば、基面上に降り積もった雪からなる積雪層の表面に融雪シートを設置し、太陽光で前記融雪シートを温めることにより前記積雪層を融解するので、人力や除雪機械で雪を取り除く必要がない。また、太陽光を利用するので、面状発熱体や温水流路が不要となるので融雪シートの簡素化が可能となり、製造コストやランニングコストを低減することができる。そのため、除雪面や周辺設備に影響を与えることなく簡易な構成で除雪を促進することが可能となる。
【００１１】
また、前記融雪シートは、明度が０％以上５０％未満の暗色であるのが好ましい。
また、前記融雪シートは、黒色であるのがさらに好ましい。
【００１２】
かかる構成によれば、太陽光の反射を抑制してエネルギーを効率よく吸収することで、融雪シートの発熱及び積雪の融解を促進することができる。
【００１３】
また、前記基面は、芝生が生えている芝生面であり、前記融雪シートは、複数の貫通孔を有するのが好ましい。
【００１４】
かかる構成によれば、重機等の除雪装置を必要としないので芝生を傷める心配がない。また、複数の貫通孔から水分の蒸発を促すことで芝生の蒸れを抑制することができる。
【発明の効果】
【００１５】
本発明によれば、除雪面や周辺設備に影響を与えることなく簡易な構成で除雪を促進することが可能な除雪システム及び除雪方法を提供することが可能となる。
【図面の簡単な説明】
【００１６】
【図１】本実施形態に係る除雪システムの断面図である。
【発明を実施するための形態】
【００１７】
本発明の実施形態について、図面を参照して詳細に説明する。説明において、同一の要素には同一の符号を付し、重複する説明は省略する。
【００１８】
図１は、本実施形態に係る除雪システムの断面図である。
図１に示すように、除雪システム１０は、基面１の上に降り積もった雪からなる積雪層２と、積雪層２の表面に設置された融雪シート３と、を備えている。
【００１９】
基面１は、除雪によって露出させる対象となる基準面である。本実施形態では、基面１の表面に芝生ｇが生えている。本実施形態に係る除雪システム１０は、重機等の除雪機械を使用しないので、芝生ｇを傷めるおそれがない。
【００２０】
なお、基面１は、特に限定されるものではないが、例えば、サッカー場、野球場、ゴルフ場、陸上競技場等のスポーツフィールドや競馬場の馬場等のように、除雪に要する期間中、利用を制限できるような場所が適している。
【００２１】
積雪層２は、雪が基面１上に層状に堆積したものである。積雪層２の雪質や厚さは特に限定されるものではない。積雪層２は、自然に堆積したものでもよいし、除雪機械等で所定箇所に集積されたものであってもよい。
【００２２】
融雪シート３は、積雪層２の表面を覆うように設置されるシート状あるいはマット状の部材である。融雪シート３は、太陽光Ｌによって温まり易い色に着色又は染色されている。ここで、太陽光Ｌによって温まり易い色とは、明度が０％以上５０％未満の暗色であり、より好ましくは黒色である。このようにすれば、太陽光Ｌのエネルギーを効率よく吸収して除雪を促進することができる。
【００２３】
融雪シート３は、複数の貫通孔３ａを有している。これにより、溶けた雪の蒸発が促進されるとともに、蒸れによる芝生の育成被害を抑制することができる。
【００２４】
融雪シート３の材料は、特に限定されるものではないが、例えば、土嚢袋の材料となる織布やビニールシートを用いることができる。特に、土嚢袋の材料となる織布は、ポリプロピレンやポリエステル製の糸を平織り又は綾織りして形成されており、糸同士の隙間を前記した貫通孔３ａとして機能させることができる。また、例えば不織布（フェルト）で融雪シート３を構成した場合、不織布中の空隙が、前記した貫通孔３ａとして機能するとともに、再凍結を抑制する保温層として機能する。
【００２５】
本実施形態に係る除雪システム１０は、基本的に以上のように構成されるものであり、次に、本実施形態に係る除雪システム１０を用いた除雪方法について説明する。
【００２６】
作業者は、雪が止んだ後に、積雪層２の表面を覆うように融雪シート３を設置する。また、作業者は、融雪シート３が風で飛ばされないよう、図示しない錘（例えば土嚢）を融雪シート３上の適所に配置する。
【００２７】
そして、太陽光Ｌが融雪シート３に当たることで融雪シート３が温まり、その下の積雪層２が融解する。このとき、融雪シート３は、太陽光Ｌによって温まり易い色（例えば黒色）をしているので、効率よく積雪層２を温めることができる。
【００２８】
雪の融解によって生じた水は、基面１の上を流れて排出されたり、貫通孔３ａを通って蒸発する。これにより、基面１の芝生ｇの蒸れによる育成被害を抑制することができる。
【００２９】
このように、本実施形態に係る除雪システム１０及びこれを利用した除雪方法によれば、積雪層２の上に融雪シート３を設置するという簡易な構成及び方法で、積雪層２を効率よく融解することができるので、融雪シート３を設置しない場合に比較して除雪を促進することができる。
【００３０】
また、本実施形態では、除雪機械を用いる必要がないので、例えば基面１の上に芝生ｇが生えているような場合でも基面１に悪影響を与えることなく除雪を行うことができる。そのため、サッカー場、野球場、ゴルフ場、陸上競技場等のスポーツフィールドや競馬場の馬場等を効率よく除雪することができる。
【００３１】
また、本実施形態では、太陽光を利用するため、電気や温水を用いる必要がないので環境負荷を低減することができる。また、電気で発熱する発熱体や温水を通水する流路を融雪シート３に設ける必要がないため、融雪シート３の材料コスト及び製造コストを抑制することができるとともに、ランニングコストもほぼゼロにすることができる。
【００３２】
また、積雪層２が融解した後、融雪シート３を畳んだり巻き取ったりして保管しておけば、次回の積雪時に繰り返し使用が可能である。
【００３３】
以上、本発明の実施形態について図面を参照して詳細に説明したが、本発明はこれに限定されるものではなく、発明の主旨を逸脱しない範囲で適宜変更可能である。
【００３４】
例えば、本実施形態では、基面１として芝生ｇが生えた芝生面を想定したが、本発明はこれに限定されるものではなく、例えば建物の屋上などの除雪に利用してもよい。
【００３５】
また、本実施形態では、融雪シート３に複数の貫通孔３ａを設けたが、本発明はこれに限定されるものではなく、貫通孔３ａを省略してもよい。
【符号の説明】
【００３６】
１      基面
２      積雪層
３      融雪シート
３ａ    貫通孔
１０    除雪システム
Ｌ      太陽光
ｇ      芝生
【図１】
2014163091.tif 000003
【手続補正書】
【提出日】平成26年7月7日(2014.7.7)
【手続補正１】
【補正対象書類名】特許請求の範囲
【補正対象項目名】全文
【補正方法】変更
【補正の内容】
【特許請求の範囲】
【請求項１】
基面上に降り積もった雪からなる積雪層と、前記積雪層の表面に設置され、太陽光で温められることにより前記積雪層を融解する融雪シートと、を有する除雪システムであって、
前記融雪シートは、明度が０％以上５０％未満の暗色であり、ポリプロピレン又はポリエステル製の糸を平織り又は綾織りして形成された繰り返し使用可能な織布であり、前記糸同士の隙間が複数の貫通孔として機能することを特徴とする除雪システム。
【請求項２】
基面上に降り積もった雪からなる積雪層と、前記積雪層の表面に設置され、太陽光で温められることにより前記積雪層を融解する融雪シートと、を有する除雪システムであって、
前記融雪シートは、明度が０％以上５０％未満の暗色であり、繰り返し使用可能な不織布で形成されており、前記不織布中の隙間が複数の貫通孔として機能すると共に保温層として機能することを特徴とする除雪システム。
【請求項３】
前記基面は、芝生が生えている芝生面であることを特徴とする請求項１又は請求項２に記載の除雪システム。
【請求項４】
明度が０％以上５０％未満の暗色であり、ポリプロピレン又はポリエステル製の糸を平織り又は綾織りして形成された繰り返し使用可能な織布であり、前記糸同士の隙間が複数の貫通孔として機能する融雪シートを用いた除雪方法であって、
基面上に降り積もった雪からなる積雪層の表面に前記融雪シートを設置し、太陽光で前記融雪シートを温めることにより前記積雪層を融解し、その後に前記融雪シートを回収して保管することを特徴とする除雪方法。
【請求項５】
明度が０％以上５０％未満の暗色であり、繰り返し使用可能な不織布で形成されており、前記不織布中の隙間が複数の貫通孔として機能すると共に保温層として機能する融雪シートを用いた除雪方法であって、
基面上に降り積もった雪からなる積雪層の表面に前記融雪シートを設置し、太陽光で前記融雪シートを温めることにより前記積雪層を融解し、その後に前記融雪シートを回収して保管することを特徴とする除雪方法。
【手続補正２】
【補正対象書類名】明細書
【補正対象項目名】０００９
【補正方法】変更
【補正の内容】
【０００９】
本発明は、基面上に降り積もった雪からなる積雪層と、前記積雪層の表面に設置され、太陽光で温められることにより前記積雪層を融解する融雪シートと、を有する除雪システムであって、前記融雪シートは、明度が０％以上５０％未満の暗色であり、ポリプロピレン又はポリエステル製の糸を平織り又は綾織りして形成された繰り返し使用可能な織布であり、前記糸同士の隙間が複数の貫通孔として機能することを特徴とする除雪システムである。
また、本発明は、明度が０％以上５０％未満の暗色であり、ポリプロピレン又はポリエステル製の糸を平織り又は綾織りして形成された繰り返し使用可能な織布であり、前記糸同士の隙間が複数の貫通孔として機能する融雪シートを用いた除雪方法であって、基面上に降り積もった雪からなる積雪層の表面に前記融雪シートを設置し、太陽光で前記融雪シートを温めることにより前記積雪層を融解し、その後に前記融雪シートを回収して保管することを特徴とする除雪方法である。
【手続補正３】
【補正対象書類名】明細書
【補正対象項目名】００１０
【補正方法】変更
【補正の内容】
【００１０】
かかる構成及び方法によれば、基面上に降り積もった雪からなる積雪層の表面に、明度が０％以上５０％未満の暗色であり、ポリプロピレン又はポリエステル製の糸を平織り又は綾織りして形成された繰り返し使用可能な織布であり、前記糸同士の隙間が複数の貫通孔として機能する融雪シートを設置し、太陽光で前記融雪シートを温めることにより前記積雪層を融解するので、人力や除雪機械で雪を取り除く必要がない。また、太陽光を利用するので、面状発熱体や温水流路が不要となるので融雪シートの簡素化が可能となり、製造コストやランニングコストを低減することができる。そのため、除雪面や周辺設備に影響を与えることなく簡易な構成で除雪を促進することが可能となる。
また、前記融雪シートは、明度が０％以上５０％未満の暗色であるので、太陽光の反射を抑制してエネルギーを効率よく吸収することで、融雪シートの発熱及び積雪の融解を促進することができる。
また、前記融雪シートは、糸同士の隙間が複数の貫通孔として機能するので、複数の貫通孔から水分の蒸発を促すことで芝生の蒸れを抑制することができる。
【手続補正４】
【補正対象書類名】明細書
【補正対象項目名】００１１
【補正方法】変更
【補正の内容】
【００１１】
また、本発明は、基面上に降り積もった雪からなる積雪層と、前記積雪層の表面に設置され、太陽光で温められることにより前記積雪層を融解する融雪シートと、を有する除雪システムであって、前記融雪シートは、明度が０％以上５０％未満の暗色であり、繰り返し使用可能な不織布で形成されており、前記不織布中の隙間が複数の貫通孔として機能すると共に保温層として機能することを特徴とする除雪システムである。
また、本発明は、明度が０％以上５０％未満の暗色であり、繰り返し使用可能な不織布で形成されており、前記不織布中の隙間が複数の貫通孔として機能すると共に保温層として機能する融雪シートを用いた除雪方法であって、基面上に降り積もった雪からなる積雪層の表面に前記融雪シートを設置し、太陽光で前記融雪シートを温めることにより前記積雪層を融解し、その後に前記融雪シートを回収して保管することを特徴とする除雪方法である。
【手続補正５】
【補正対象書類名】明細書
【補正対象項目名】００１２
【補正方法】削除
【補正の内容】
【手続補正６】
【補正対象書類名】明細書
【補正対象項目名】００１３
【補正方法】削除
【補正の内容】
【手続補正７】
【補正対象書類名】明細書
【補正対象項目名】００１４
【補正方法】削除
【補正の内容】